(57)【要約】  本発明は、電気的な差込み接続部（１）のためのコネクタ（２）であって、当該コネクタ（２）が、それぞれ１つのコンタクトボディ（１５）を受容するための複数のコンタクトチャンバ（１４）を備えるコンタクトチャンバハウジング（１２）を有しており、コンタクトボディ（１５）が、コンタクトチャンバ（１４）内に導入可能であり、その終端位置でコンタクトチャンバハウジング（１２）内に一次係止されており、さらに当該コネクタ（２）が、コンタクトボディ（１５）の導入方向に関して横方向で可動に案内された二次ロックエレメント（３）を有しており、該二次ロックエレメント（３）のロック突起（１１）がそれぞれそのロック位置で側方に、コンタクトチャンバ（１４）内へと突入し、該コンタクトチャンバ（１４）内に一次係止されたコンタクトボディ（１５）を二次ロックする形式のものに関する。本発明では、コンタクトチャンバハウジング（１２）が、単数または複数の平行な仕切りスリット（１７）により、それぞれ少なくとも一列のコンタクトチャンバ（１４）を備える複数のコンタクトチャンバハウジング区分（１２ａ〜１２ｃ）に分割されており、コンタクトチャンバ（１４）がそれぞれ仕切りスリット（１７）に向かって、またはコンタクトチャンバハウジング（１２）の、仕切りスリット（１７）に対して平行な外面（１９）に向かって開いており、二次ロックエレメント（３）が、単数または複数の平行な仕切り壁（８）により複数の区画（９）に分割されたフレームであり、該フレームの仕切り壁（８）が、二次ロックエレメント（３）がコンタクトチャンバハウジング（１２）上に被せ嵌められるとき、仕切りスリット（１７）に係入し、側方に開いたコンタクトチャンバ（１４）を閉鎖し、かつコンタクトチャンバハウジング（１２）上に被せ嵌められた二次ロックエレメント（３）が、コンタクトボディ（１５）の導入方向に関して横方向でロック位置に可動に案内されているようにした。
2009545857.tif 000002
【特許請求の範囲】
【請求項１】
電気的な差込み接続部（１）のためのコネクタ（２）であって、当該コネクタ（２）が、それぞれ１つのコンタクトボディ（１５）を受容するための複数のコンタクトチャンバ（１４）を備えるコンタクトチャンバハウジング（１２）を有しており、コンタクトボディ（１５）が、コンタクトチャンバ（１４）内に導入可能であり、その終端位置でコンタクトチャンバハウジング（１２）内に一次係止されており、さらに当該コネクタ（２）が、コンタクトボディ（１５）の導入方向に関して横方向で可動に案内された二次ロックエレメント（３）を有しており、該二次ロックエレメント（３）のロック突起（１１）がそれぞれそのロック位置で側方に、コンタクトチャンバ（１４）内へと突入し、該コンタクトチャンバ（１４）内に一次係止されたコンタクトボディ（１５）を二次ロックする形式のものにおいて、
コンタクトチャンバハウジング（１２）が、単数または複数の平行な仕切りスリット（１７）により、それぞれ少なくとも一列のコンタクトチャンバ（１４）を備える複数のコンタクトチャンバハウジング区分（１２ａ〜１２ｃ）に分割されており、コンタクトチャンバ（１４）がそれぞれ仕切りスリット（１７）に向かって、またはコンタクトチャンバハウジング（１２）の、仕切りスリット（１７）に対して平行な外面（１９）に向かって開いており、
二次ロックエレメント（３）が、単数または複数の平行な仕切り壁（８）により複数の区画（９）に分割されたフレームであり、該フレームの仕切り壁（８）が、二次ロックエレメント（３）がコンタクトチャンバハウジング（１２）上に被せ嵌められるとき、仕切りスリット（１７）に係入し、側方に開いたコンタクトチャンバ（１４）を閉鎖し、かつ
コンタクトチャンバハウジング（１２）上に被せ嵌められた二次ロックエレメント（３）が、コンタクトボディ（１５）の導入方向に関して横方向でロック位置に可動に案内されている
ことを特徴とする、電気的な差込み接続部のためのコネクタ。
【請求項２】
すべてのコンタクトチャンバ（１４）が、同じ側に向かって開いている、請求項１記載のコネクタ。
【請求項３】
コンタクトチャンバ（１４）が、前壁（１６）に至るまで側方に開いている、請求項１または２記載のコネクタ。
【請求項４】
前壁（１６）が、ロック突起（１１）のための、それぞれの仕切りスリット（１７）またはコンタクトチャンバハウジング（１２）の外面（１９）に向かって開いた切欠き（２０）を有する、請求項３記載のコネクタ。
【請求項５】
コンタクトチャンバ（１４）が、切欠き（２４）を備えたそれぞれ１つのチャンバ壁（２３）を有しており、二次ロックエレメント（３）をロック位置へ移動させるとき、該切欠き（２４）を通してロック突起（１１）が、それぞれのコンタクトチャンバ（１４）内に挿入される、請求項１から４までのいずれか１項記載のコネクタ。
【請求項６】
二次ロックエレメント（３）が、少なくともそのロック位置で、ハウジング側に係止されている、請求項１から５までのいずれか１項記載のコネクタ。
【請求項７】
二次ロックエレメント（３）が、少なくとも１つの係止ノーズ（１０）を有しており、該係止ノーズ（１０）が、少なくともロック位置で、ハウジング側の係止切欠き（２１ａ，２１ｂ）に係入する、請求項６記載のコネクタ。
【請求項８】
二次ロックエレメント（３）が、前方に延在するブロック突起（２８）を有する、請求項１から７までのいずれか１項記載のコネクタ。
【請求項９】
コネクタ（２）の差込み横断面に外面コード分け手段および／または内面コード分け手段（２２，３０）が設けられている、請求項１から８までのいずれか１項記載のコネクタ。
【発明の詳細な説明】
【技術分野】
【０００１】
背景技術
本発明は、請求項１の上位概念部に記載した電気的な差込み接続部のためのコネクタ、要するに、電気的な差込み接続部のためのコネクタであって、当該コネクタが、それぞれ１つのコンタクトボディを受容するための複数のコンタクトチャンバを備えるコンタクトチャンバハウジングを有しており、コンタクトボディが、コンタクトチャンバ内に導入可能であり、その終端位置でコンタクトチャンバハウジング内に一次係止されており、さらに当該コネクタが、コンタクトボディの導入方向に関して横方向で可動に案内された二次ロックエレメントを有しており、該二次ロックエレメントのロック突起がそれぞれそのロック位置で側方に、コンタクトチャンバ内へと突入し、該コンタクトチャンバ内に一次係止されたコンタクトボディを二次ロックする形式のものに関する。
【０００２】
電気的な差込み接続器は、それを介して両コネクタ（ソケット部分およびプラグ部分）が、例えば一方の電気的な線路と他方の電気的な線路との間で、または電気的な線路と電気的なユニットとの間で、再解離可能な電気的な接続を形成するために設けられている。
【０００３】
公知の差込み接続器は、圧着部またはろう接部を備える金属製のコンタクトと、金属製のタブ（ピン）と、プラスチック（熱可塑性樹脂）からなる２つのコネクタハウジングと、シールエレメント（エラストマー）と、コンタクトのための付加的な保持エレメント、いわゆる二次ロックとからなる。差込み接続部の一方のコネクタは、「ケーブルハーネスコネクタ（Ｋａｂｅｌｂａｕｍｓｔｅｃｋｅｒ）」である。ケーブルハーネスコネクタは、付加的に二次ロックのような保持エレメントを有することができる。差込み接続部の他方のコネクタは、「カップリングコネクタ（Ｋｕｐｐｌｕｎｇｓｓｔｅｃｋｅｒ）」である。カップリングコネクタは、少なくとも３つのパーツ、すなわち、コネクタハウジングと、コンタクト支持体下側部分と、二次ロックエレメントとからなる。これらの３つのパーツは、パーツを製造するために、３つの射出成形工具がなければならないこと、さらには３つのパーツが互いに組み合わされて１つのカップリングコネクタとされなければならないことを意味している。
【０００４】
発明の開示
本発明の課題は、冒頭で述べた形式のコネクタにおいて部品点数をさらに減じることである。
【０００５】
この課題は本発明により、請求項１の特徴部に記載の特徴を有するコネクタ、要するに、コンタクトチャンバハウジングが、単数または複数の平行な仕切りスリットにより、それぞれ少なくとも一列のコンタクトチャンバを備える複数のコンタクトチャンバハウジング区分に分割されており、コンタクトチャンバがそれぞれ仕切りスリットに向かって、またはコンタクトチャンバハウジングの、仕切りスリットに対して平行な外面に向かって開いており、二次ロックエレメントが、単数または複数の平行な仕切り壁により複数の区画に分割されたフレームであり、該フレームの仕切り壁が、二次ロックエレメントがコンタクトチャンバハウジング上に被せ嵌められるとき、仕切りスリットに係入し、側方に開いたコンタクトチャンバを閉鎖し、かつコンタクトチャンバハウジング上に被せ嵌められた二次ロックエレメントが、コンタクトボディの導入方向に関して横方向でロック位置に可動に案内されていることを特徴とするコネクタにより解決される。
【０００６】
本発明によるコネクタは、２つのプラスチック部品（例えば熱可塑性樹脂）、すなわち、コンタクトチャンバハウジングおよび二次ロックエレメントを有するにすぎない。二次ロックエレメントは二重機能を有する。二次ロックエレメントは一方では、コネクタ内に受容された電気的なコンタクト（タブまたはピン）の二次ロックとして役立ち、他方では、コンタクトチャンバハウジング内のコンタクトチャンバのチャンバ壁の一部（例えば第４の面）を形成する。これにより、コネクタ内にコンタクトチャンバハウジングを射出成形法で一体的に製作することが可能である。コネクタには、有利には内面コード分け手段および／または外面コード分け手段が統合されている。本発明によるコネクタのツーピースの構造に基づいて、これまで必要であった第３のプラスチック部品が省略されるので、第３のプラスチック部品の製造およびコネクタ内での組立は省略される。
【０００７】
本発明の対象の別の利点および有利な構成は、明細書、図面および特許請求の範囲から見出せる。本発明の有利な形態では、すべてのコンタクトチャンバが、同じ側に向かって開いている。本発明の別の有利な形態では、コンタクトチャンバが、前壁に至るまで側方に開いている。本発明のさらに別の有利な形態では、前壁が、ロック突起のための、それぞれの仕切りスリットまたはコンタクトチャンバハウジングの外面に向かって開いた切欠きを有する。本発明のさらに別の有利な形態では、コンタクトチャンバが、切欠きを備えたそれぞれ１つのチャンバ壁を有しており、二次ロックエレメントをロック位置へ移動させるとき、該切欠きを通してロック突起が、それぞれのコンタクトチャンバ内に挿入される。本発明のさらに別の有利な形態では、二次ロックエレメントが、少なくともそのロック位置で、ハウジング側に係止されている。本発明のさらに別の有利な形態では、二次ロックエレメントが、少なくとも１つの係止ノーズを有しており、該係止ノーズが、少なくともロック位置で、ハウジング側の係止切欠きに係入する。本発明のさらに別の有利な形態では、二次ロックエレメントが、前方に延在するブロック突起を有する。本発明のさらに別の有利な形態では、コネクタの差込み横断面に外面コード分け手段および／または内面コード分け手段が設けられている。
【０００８】
本発明によるコネクタの種々異なる実施の形態を図面に示し、以下に詳説する。
【図面の簡単な説明】
【０００９】
【図１】図１は、本発明によるカップリングコネクタとケーブルハーネスコネクタとの間の電気的な差込み接続部の個々の部品を示す図である。
【図２】図２は、カップリングコネクタの、図１に示す二次ロックエレメントの前面図である。
【図３】図３ａ〜ｃは、図１に示すカップリングコネクタの前面図であり、それぞれ、二次ロックエレメントがない状態の図（図３ａ）、二次ロックエレメントが前組み立てされた位置にある図（図３ｂ）、および二次ロックエレメントがロック位置にある図（図３ｃ）である。
【図４】図４ａ，ｃは、図１に示す線ＩＶ−ＩＶで図３に示すカップリングコネクタを断面した図であり、それぞれ、二次ロックエレメントが前組み立てされた位置にある図（図４ａ）および二次ロックエレメントがロック位置にある図（図４ｃ）であり、また図４ｂは、図４ｃにＩＶｂで示す範囲の詳細図である。
【図５】図５ａは、図１に示す電気的な差込み接続部の、互いに差し合わされたカップリングコネクタおよびケーブルハーネスコネクタの縦断面図であり、図５ｂは、カップリングコネクタの縦断面図である。
【図６】図６ａ，ｂは、それぞれ異なる外面コード分け手段を備える図１のカップリングコネクタを示す図である。
【図７】図７ａ，ｂは、それぞれ異なる内面コード分け手段を備える図１のカップリングコネクタを示す図である。
【００１０】
発明の実施の形態
図１に示す電気的な差込み接続部１は、カップリングコネクタ２を有する。カップリングコネクタ２は、カップリングコネクタ２内に装入される二次ロックエレメント３を有する。さらに差込み接続部１は、ケーブルハーネスコネクタ４を有する。ケーブルハーネスコネクタ４は、ケーブルハーネスコネクタ４内に装入される走査エレメント（Ａｂｔａｓｔｅｌｅｍｅｎｔ）５を有する。カップリングコネクタ２は前部に、ケーブルハーネスコネクタ４の対応する差込み受容部（図示せず）内に差し込むための差込みスリーブ６を有する。
【００１１】
図２に示すように、二次ロックエレメント３は、フレーム壁７と、２つの平行な仕切り壁８とを備えるフレームとして形成されている。仕切り壁８は、フレーム開口を３つの平行な区画９に分割する。図２で見て左右のフレーム壁７の外面には、前側に、それぞれ１つの係止カム１０が設けられている。係止カム１０は側方に、外に向かって張り出している。右側のフレーム壁７および両仕切り壁８には、底側に、それぞれ２つのロック突起１１が設けられている。ロック突起１１は側方に、それぞれ左側の区画９内に突入している。
【００１２】
図３ａは、二次ロックエレメント３なしにカップリングコネクタ２の前面図を示す。カップリングコネクタ２は、差込みスリーブ６内にコンタクトチャンバハウジング１２を有する。コンタクトチャンバハウジング１２は、差込みスリーブ６のスリーブ底１３から前方に延在し、６つのコンタクトチャンバ１４を３×２の配列で有する。コンタクトチャンバ１４内には、タブまたは平型コネクタ（コンタクトボディ）１５が配置されている。タブ１５は背面から、スリーブ底１３に設けられた開口を通して挿入されており、コンタクトチャンバ１４の前壁１６の開口から前方に突出している。タブ１５は、張り出した係止フックを備える槍型コンタクト（Ｌａｎｚｅｎｋｏｎｔａｋｔ）である。係止フックは、コンタクトチャンバ１４内のアンダカットに一次係止されている。２つの仕切りスリット１７により、コンタクトチャンバハウジング１２は、それぞれ１つの上下のコンタクトチャンバ１４を備える３つのコンタクトチャンバハウジング区分１２ａ〜１２ｃに分割されている。コンタクトチャンバハウジング１２は環状に、差込みスリーブ６の内面から間隔を置いており、差込みスリーブ６の２つの中間壁１８の間に配置されている。この場合、コンタクトチャンバハウジング１２の、仕切りスリット１７に対して平行な外面１９は、中間壁１８から間隔を置いている。コンタクトチャンバ１４は、その前壁１６とスリーブ底１３との間で、図３で見て右側で仕切りスリット１７に向かって、もしくは図３で見て右側の外面１９に向かって開いている。この開いた面に、コンタクトチャンバ１４の前壁１６は、それぞれの仕切りスリット１７もしくは右側の外面１９に向かって開いたそれぞれ１つの切欠き２０を有する。両中間壁１８には、それぞれ２つの係止切欠き２１ａ，２１ｂが設けられている。差込みスリーブ６はその外面に、さらに１つの外面コード分け手段２２を有する。外面コード分け手段２２については、後で図６および図７を参照しながら詳説する。
【００１３】
二次ロックエレメント３は、コンタクトチャンバハウジング１２上に被せ嵌められ、スリーブ底１３に当接するまで移動される。このとき、二次ロックエレメント３のロック突起１１は、前壁１６の切欠き２０を通して案内され、二次ロックエレメント３の仕切り壁８は、仕切りスリット１７に係入する。二次ロックエレメント３は、コンタクトチャンバハウジング１２に沿ってそのフレーム壁７および／または仕切り壁８を介して案内されている。図３ｂは、二次ロックエレメント３の前組み立てされた位置を示す。この位置で、係止カム１０は、図３で見て下側の係止切欠き２１ａに係入する。前組み立てされた二次ロックエレメント３は、タブ１５の導入方向に対して横方向、すなわち図３ｂで見て上方にスライドさせることにより、図３ｃに示すロック位置に移行する。この位置で、ロック突起１１は、コンタクトチャンバ１４内に一次係止されたタブ１５を二次ロックするために、側方に、コンタクトチャンバ１４内へと突入し、かつ係止ノーズ１０は、図３で見て上側の係止切欠き２１ｂに係入する。
【００１４】
図４ａは、前組み立てされた二次ロックエレメント３を備えるコンタクトチャンバハウジング１２の、コンタクトチャンバ１４の前壁１６に対して平行な平面での断面図を示す。長方形のコンタクトチャンバ１４はそれぞれ、コンタクトチャンバハウジング１２の３つのチャンバ壁２３と、装入された二次ロックエレメント３のフレーム壁７および仕切り壁８とにより形成されている。図４ｂに示すように、コンタクトチャンバ１４のチャンバ壁２３は、スリーブ底１３に、それぞれ１つの後退部もしくは切欠き２４を有する。二次ロックエレメント３をロック位置へ移動させるとき、後退部もしくは切欠き２４を通してロック突起１１は、コンタクトチャンバ１４内にスライドされる（図４ｃ）。
【００１５】
カップリングコネクタ２は、以下のように組み立てられる。まず、二次ロックエレメント３をその前組み立てされた位置に挿入する。その後、タブ１５をスリーブ底１３の開口を通して、すなわち、カップリングコネクタ２の背面からコンタクトチャンバ１４内に導入する。最終的に、二次ロックエレメント３をそのロック位置に移動させる。これにより、ロック突起１１はコンタクトチャンバ１４内で、タブ１５のアンダカット２５（図５ａ）の、導入方向で見て背面に回り込むように係合し、これにより、タブ１５をその正確に導入された位置にロックする。二次ロックエレメント３は、すべてのタブ１５がその正確に導入された位置にある場合に限り、そのロック位置に移動される。移動されなければ、タブ１５の位置を検査することが必要である。
【００１６】
図５ａは、差し合わされたカップリングコネクタ２およびケーブルハーネスコネクタ４の縦断面図を示す。ケーブルハーネスコネクタ４は、カップリングコネクタ２のタブ１５が係入する適当な対応コンタクト２６を有する。差込みスリーブ６の外側にはさらに、カップリングコネクタ２をケーブルハーネスコネクタ４に係止するための係止ノーズ２７が設けられている。図５ｂに示すように、二次ロックエレメント３は、前方に張り出した２つのブロック突起２８を有し、ケーブルハーネスコネクタ４の走査エレメント５は、走査アーム２９を有する。二次ロックエレメント３がそのロック位置にある場合にのみ、走査アーム２９は、両ブロック突起２８の間に係入することができる。こうして、カップリングコネクタ２とケーブルハーネスコネクタ４との間の差込み接続が形成される。
【００１７】
図６ａおよび図６ｂは、それぞれ異なって形成された２つの外面コード分け手段２２を備えるカップリングコネクタ２を示し、図７ａおよび図７ｂは、それぞれ異なって形成された２つの内面コード分け手段３０を備えるカップリングコネクタ２を示す。ケーブルハーネスコネクタ４の適当な対応コード分け手段（図示せず）との関連で、これらのコード分け手段２２，３０は、１つの装置内で複数の同じタイプのコネクタが使用される際の混同を回避するために役立つ。
【図１】
2009545857.tif 000003
【図２】
2009545857.tif 000004
【図３ａ】
2009545857.tif 000005
【図３ｂ】
2009545857.tif 000006
【図３ｃ】
2009545857.tif 000007
【図４ａ】
2009545857.tif 000008
【図４ｂ】
2009545857.tif 000009
【図４ｃ】
2009545857.tif 000010
【図５ａ】
2009545857.tif 000011
【図５ｂ】
2009545857.tif 000012
【図６ａ】
2009545857.tif 000013
【図６ｂ】
2009545857.tif 000014
【図７ａ】
2009545857.tif 000015
【図７ｂ】
2009545857.tif 000016
【国際調査報告】
2009545857.tif 000017
2009545857.tif 000018
2009545857.tif 000019
2009545857.tif 000020
2009545857.tif 000021
2009545857.tif 000022